(57)【要約】  【課題】  マルチメディアデータの保存、再生を随時行うことができ、かつモバイルタイプの便利さが得られる携帯式マルチメディア記録・再生装置を提供する。  【解決手段】  映画記録ユニットと、音声記録ユニットと、映像記録ユニットと、記憶装置と、映画再生ユニットと、音声再生ユニット、内蔵式ディスプレーと、該映画記録ユニットと該音声記録ユニットと該映画再生ユニットと該音声再生ユニットと該内蔵式ディスプレーの動作を制御するキーパッドと、上記各ユニットに電力を提供する充電式電池と、上記の各ユニットの使用状態を表示する少なくとも一以上のインジケータとによって携帯式マルチメディア記録・再生電子装置を構成する。【選択図】  図１ 
2005323135.tif 000002
【特許請求の範囲】
【請求項１】
映画データを捕捉して記録する映画記録ユニットと、
音声データを捕捉して記録する音声記録ユニットと、
映像データを捕捉して記録する映像記録ユニットと、
該映画データと音声データと映像データとを記憶する記憶装置と、
該映画データと映像データとを読み取って再生する映画再生ユニットと、
該音声データと映像のデータを読み取って再生する音声再生ユニット、
該映画データと映像データを表示する内蔵式ディスプレーと、
該映画記録ユニットと該音声記録ユニットと該映画再生ユニットと該音声再生ユニットと該内蔵式ディスプレーの動作を制御するキーパッドと、
上記各ユニットに電力を提供する充電式電池と、
上記の各ユニットの使用状態を表示する少なくとも一以上のインジケータと、を含んでなる事を特徴とする携帯式マルチメディア記録・再生電子装置。
【請求項２】
前記携帯式マルチメディア記録・再生電子装置は、さらにマイク入力ユニットと、音声左入力ユニットと、音声右入力ユニットと、AV入力ユニットと、S端子入力ユニットと、赤外線リモート・ユニットと、電力入力ユニットと、ヘッドフォン出力ユニットと、音声左出力ユニットと、音声右出力ユニットと、AV出力ユニットと、S端子出力ユニットと、二方向高速転送インターフェースと、有線テレビ入力端と、有線テレビ出力端と、メモリカード・スロットとを含むことを特徴とする請求項１に記載のマルチメディア記録・再生電子装置。
【請求項３】
前記赤外線リモート・ユニットは、該マルチメディア記録・再生電子装置をリモートコントロールで操作するユニットであることを特徴とする請求項１に記載の携帯式マルチメディア記録・再生電子装置。
【請求項４】
前記携帯式マルチメディア記録・再生電子装置は、さらに中央演算処理装置と、フラッシュ・メモリと、同期動態RAMと、機能制御を提供するファームウェアを含むことを特徴とする請求項１に記載の前記携帯式マルチメディア記録・再生電子装置。
【請求項５】
前記携帯式マルチメディア記録・再生電子装置は、さらに音声を記録するための内蔵式マイクを含むことを特徴とする請求項１に記載の携帯式マルチメディア記録・再生電子装置。
【請求項６】
前記携帯式マルチメディア記録・再生電子装置は、さらに音声を再生するための内蔵式スピーカーを含む請求項1に記載の携帯式マルチメディア記録・再生電子装置。
【請求項７】
前記携帯式マルチメディア記録・再生電子装置は、ＰＡＬ方式か、国家テレビシステム委員会(NTSCか、もしくはSECAMの三種類のビデオ出力標準規格の中から一つを選択するスイッチを含むことを特徴とする請求項1に記載の携帯式マルチメディア記録・再生電子装置。
【請求項８】
前記携帯式マルチメディア記録・再生電子装置は、さらに映画データ、音声データ、映像データの記録時間、及び充電式電池の充電時間の設定を提供するリアタイム時間計算プログラムを含むことを特徴とする請求項1に記載の携帯式マルチメディア記録・再生電子装置。
【請求項９】
前記携帯式マルチメディア記録・再生電子装置は、さらに再生、記録、表示設定、オプション、パラメーター、及び機能を制御する画面表示メニュー・システム(OSD)/図面表示インターフェース(GUI)を含むことを特徴とする請求項1に記載の携帯式マルチメディア記録・再生電子装置。
【請求項１０】
前記キーパッドは、装置の起動、電源切断、モード選択、停止、再生、一時停止、キーロック、前早送り、後早送り、早戻し、戻し、メニュー表示、音量増加、メニュー閉、音量減少、前のチャンネル、次のチャンネル、ズームインとズームアウトなどを含むグループからなる機能を提供することを特徴とする請求項1に記載の携帯式マルチメディア記録・再生電子装置。
【請求項１１】
前記インジケータが、またパワーインジケータと、高速伝送インターフェースと、エンコード・インジケータと、デコードインジケータと、電池容量モニターを含むことを特徴とする請求項1に記載の携帯式マルチメディア記録・再生電子装置。
【請求項１２】
前記記憶装置のハードディスクインタフェースはATアタッチメント(ATA)か、統合電子ドライブ・インターフェース(IDE)か、もしくはシリアルATアタッチメント(SATA)から選択されるインターフェースであることを特徴とする請求項1に記載の携帯式マルチメディア記録・再生電子装置
【請求項１３】
前記内蔵式ディスプレーが、LCDパネルを含むことを特徴とする請求項1に記載の携帯式マルチメディア記録・再生電子装置。
【請求項１４】
前記二方向高速転送インターフェースが、ユニバーサル・シリアル・バス(USB)インターフェースか、もしくはIEEE 1394インターフェースから選択されることを特徴とする請求項２に記載の携帯式マルチメディア記録・再生電子装置。
【請求項１５】
前記携帯式マルチメディア記録・再生電子装置は、さらに映画、音声、映像のデータをエンコード、もしくはデコードするためのエンデコード・ユニットとデコード・ユニットを含むことを
特徴とする請求項1に記載の携帯式マルチメディア記録・再生電子装置・
【請求項１６】
前記携帯式マルチメディア記録・再生電子装置は、対応するマルチメディア・ファイル形式がMPEG-2か、MPEG-4か、AVIか、DivXか、ASFか、WMVか、WMAか、AACか、MP3か、G.726か、JPEGか、JPEG2000か、M-JPEGか、GIFか、もしくはBMPを含んでなるグループから選択されることを特徴されることを特徴とする請求項１に記載の携帯式マルチメディア記録・再生装置。
【請求項１７】
前記携帯式マルチメディア記録・再生電子装置は、さらに外部接続のビデオ音声ソースに接続するAV入力ユニットと音声入力ユニットとを介してビデオ音声ファイルを記録することを特徴とする請求項1に記載の携帯式マルチメディア電子装置。
【請求項１８】
請求項1に記載の携帯式マルチメディア電子装置において、静態的なデジタル映像と映画を捕捉するためのデジタル映像センサ装置を含む。
【請求項１９】
前記携帯式マルチメディア記録・再生電子装置は、さらにビデオ記録ユニットを介して、テレビ番組を記録するテレビ・チューナーを含むことを特徴とする請求項1に記載の携帯式マルチメディア記録・再生電子装置。
【請求項２０】
中央演算処理装置と、
フラッシュ・メモリと、
同期ダイナミック・ランダム・アクセルメモリと、
機能の制御を提供するファームウェア一と、
テレビ信号を受信するテレビ・チューナーと、
外部接続装置である映像音声ソース、及び該テレビ・チューナーから映画データを捕捉して記録する映画記録ユニットと、
音声データを捕捉して記録する音声記録ユニットと、
映像データを捕捉して記録する映像記録ユニットと、
デジタル映像、及び映像データを捕捉する映像センサ装置と、
該映画データ、及び該映像のデータを読み取って再生するビデオ再生ユニットと、
該音声データ、及び該映像のデータを読み取って再生する音声再生ユニットと、
該映画データ、及び該映像データを表示する内蔵式ディスプレーと、
マイク入力ユニットと、音声左入力ユニットと、音声右入力ユニットと、AV入力ユニットと、S端子入力ユニットと、電力入力ユニットと、ヘッドフォン出力ユニットと、音声左出力ユニットと、音声右出力ユニットと、AV出力ユニットと、S端子出力ユニットと、有線テレビ入力端と、有線テレビ出力端と、二方向高速伝送インターフェースとメモリカード・スロットを含む複数の出力・入力インターフェースと、
該映画データと、該音声データと、該映像のデータと、該映像センサ装置と、及び該複数の入力インターフェースから捕捉したデータを記憶し、かつATアタッチメント(ATA)か、統合電子ドライブ・インターフェース(IDE)か、もしくはシリアルATアタッチメント(SATA)から選ばれる形式を具えるハードディスクと、
上記の各ユニットの必要とする電力を提供する充電式電池と、
上記の各装置の使用状態を表示するパワーインジケータと、高速伝送インターフェースと、エンコード・インジケータと、デコードインジケータと、及び電池容量モニターを含む少なくとも一以上のインジケータと、
該映画記録ユニットと、該音声記録ユニットと、該映画再生ユニットと、該音声再生ユニットと、及び該内蔵式ディスプレーの動作を制御し、かつ装置起動、電源切断、モード選択、停止、再生、一時停止、キーロック、前早送り、後早送り、早速戻し、戻し、前のチャンネル、次のチャンネル、メニュー開、音量増加、メニュー閉、音量減少、ズームインとズームアウトなどを含むグループからなる機能を有するキーパッドと、を含んでなることを特徴とする携帯式マルチメディア記録・再生電子装置。
【請求項２１】
前記携帯式マルチメディア記録・再生電子装置は、さらに赤外線リモートコントロール・ユニットを含むことを特徴とする請求項２０に記載の携帯式マルチメディア記録・再生電子装置。
【請求項２２】
前記携帯式マルチメディア記録・再生電子装置は、さらに音声を記録する内蔵式マイクを含むことを特徴とする請求項20に記載の携帯式マルチメディア記録・再生電子装置。
【請求項２３】
前記携帯式マルチメディア記録・再生電子装置は、さらに音声と音声を再生する内蔵式スピーカーを含む請求項２０に記載の携帯式マルチメディア記録・再生電子装置。
【請求項２４】
前記携帯式マルチメディア記録・再生電子装置は、さらに
請求項20に記載の携帯式マルチメディア電子装置においてＰＡＬ方式か、国家テレビシステム委員会か、もしくはSECAMの三種類のビデオ出力標準規格から選択されるスイッチ(switch)を含むことを特徴とする請求項２０に記載の携帯式マルチメディア記録・再生電子装置。
【請求項２５】
前記携帯式マルチメディア記録・再生電子装置は、さらに映像データの記録、電池充電、もしくはデータのバックアップの時間を予め設定するリアルタイム時間計算プログラムを含むことを特徴とする請求項２０に記載の携帯式マルチメディア記録・再生電子装置。
【請求項２６】
前記携帯式マルチメディア記録・再生電子装置は、さらに、再生、記録、表示設定、オプション、パラメーター、及び機能の制御を提供する画面表示メニュー・システム(OSD)/図面表示インターフェース(GUI)を含むことを特徴とする請求項２０に記載の携帯式マルチメディア記録・再生電子装置。
【請求項２７】
前記内蔵式ディスプレーがLCD表示パネルであることを特徴とする請求項２０に記載の携帯式マルチメディア記録・再生電子装置。
【請求項２８】
前記二方向高速伝送インターフェースが、ユニバーサル・シリアル・バス(USB)インターフェースか、もしくはIEEE 1394インターフェースを含むグループから選択されることを特徴とする請求項２０に記載の携帯式マルチメディア記録・再生電子装置。
【請求項２９】
前記携帯式マルチメディア記録・再生電子装置は、さらに該映画データと、該音声データと、該映像のデータをエンコード、もしくはデコードするためのエンコードユニットとデコード・ユニットとを含むことを特徴とする請求項２０に記載の携帯式マルチメディア記録・再生電子装置。
【請求項３０】
前記携帯式マルチメディア記録・再生電子装置は、対応するマルチメディア・ファイル形式が、MPEG-2か、MPEG-4か、AVIか、DivXか、ASFか、WMVか、WMAか、AACか、MP3か、G.726か、JPEGか、JPEG2000か、M-JPEGか、GIFか、もしくはBMPを分でなるグループから選択されることを特徴とする請求項２０に記載の携帯式マルチメディア記録・再生電子装置。
【請求項３１】
前記映画データは、外部接続映像ソースと、AV入力ユニットか、音声入力ユニットか、もしくはテレビ・チューナーとに接続して入力することを特徴とする請求項２０に記載の携帯式マルチメディア記録・再生電子装置。
【発明の詳細な説明】
【技術分野】
【０００１】
この発明は、マルチメディア装置に関し、特に、音声と映像を記録、再生できる携帯式マルチメディア記録・再生装置に関わる。
【背景技術】
【０００２】
目下、電子製品は技術がますます発展し、その構造は一層精密で複雑になってきている。従来の録音装置として早くから開発されているテープレコーダーは、データを磁気テープに記憶するものである。かかるテープレコーダーにおいて選択したグメントのみを聞きたい場合は、磁気テープを早送りして該セグメントを探す。但し、磁気テープは極めて長いため、早送りしても所定の時間を要する。よって、かかる記憶媒体にデータを記憶することは実用性的でなく、効率のよいものであるとはいえず、磁気テープを利用したテープレコーダーは、マーケットにおいてすでに淘汰されようとしている。
【０００３】
新たに開発された記憶媒体と、その再生装置には、例えばビデオ・コンパクトディスク(Video compact disc。以下VCDと称する)プレーヤーが挙げられる。ＶＣＤプレーヤーは、予めデータが保存された記憶媒体を購入し、これをプレーヤーで再生するものである。よって、係る媒体はいわゆるカスタマイズ化することができない。即ち、使用者の希望する音声や画像の素材を音声、画像データとして保存することができない。また、ＶＣＤプレーヤーなどの装置は、通常家庭用に設計されたものであるため、装置のサイズから見れば、装置を他所に移して使用することは不便である。しかも再生装置以外に、ディスプレー装置ーを必要とする。よって、モバイルタイプの便利さを具えていない。
【０００４】
故に、従来の技術に見られる上述の欠点を改善し、音楽、映像などのマルチメディアデータの記録、再生を容易に行うことができる携帯式マルチメディア記録・再生装置の開発が望まれている。
【発明の開示】
【発明が解決しようとする課題】
【０００５】
本発明は、マルチメディアデータを保存、再生できるモバイルタイプのマルチメディア記録・再生装置を提供することを課題とする。
【０００６】
また、本発明は標準映像信号を出力するテレビに接続できるマルチメディア記録・再生装置を提供することを課題とする。
【０００７】
また、本発明は、音声、映像を提供する任意のソースから取得したデータを保存できるマルチメディア記録・再生装置を提供することを課題とする。
【０００８】
また、本発明は音楽に係る音声データを任意のソースから随時保存し、再生できるマルチメディア記録・再生装置を提供することを課題とする。
【０００９】
本発明は、デジタルカメラ、もしくはコンピュータとの間において簡易な操作で画像データの伝送を行うことができ、画像のディジタルデータを記録、再生することができるモバイルタイプのデジタル式電子アルバム装置を提供することを課題とする。
【課題を解決するための手段】
【００１０】
そこで本発明者は、従来の技術に鑑み鋭意研究を重ねた結果、映画記録ユニットと、音声記録ユニットと、
映像記録ユニットと、記憶装置と、映画再生ユニットと、音声再生ユニット、内蔵式ディスプレーと、
該映画記録ユニットと該音声記録ユニットと該映画再生ユニットと該音声再生ユニットと該内蔵式ディスプレーの動作を制御するキーパッドと、上記各ユニットに電力を提供する充電式電池と、上記の各ユニットの使用状態を表示する少なくとも一以上のインジケータとを含んでなる携帯式マルチメディア記録・再生電子装置の構造と、その製造方法によって課題を解決できる点に着眼し、係る知見に基づき本発明を完成させた。
以下、この発明について具体的に説明する。
【００１１】
請求項１に記載する携帯式マルチメディア記録・再生電子装置は、映画データを捕捉して記録する映画記録ユニットと、音声データを捕捉して記録する音声記録ユニットと、映像データを捕捉して記録する映像記録ユニットと、該映画データと音声データと映像データとを記憶する記憶装置と、該映画データと映像データとを読み取って再生する映画再生ユニットと、該音声データと映像のデータを読み取って再生する音声再生ユニット、該映画データと映像データを表示する内蔵式ディスプレーと、該映画記録ユニットと該音声記録ユニットと該映画再生ユニットと該音声再生ユニットと該内蔵式ディスプレーの動作を制御するキーパッドと、上記各ユニットに電力を提供する充電式電池と、上記の各ユニットの使用状態を表示する少なくとも一以上のインジケータと、を含んでなる。
【００１２】
請求項２に記載する携帯式マルチメディア記録・再生電子装置は、請求項１における携帯式マルチメディア記録・再生電子装置に、さらにマイク入力ユニットと、音声左入力ユニットと、音声右入力ユニットと、AV入力ユニットと、S端子入力ユニットと、赤外線リモート・ユニットと、電力入力ユニットと、ヘッドフォン出力ユニットと、音声左出力ユニットと、音声右出力ユニットと、AV出力ユニットと、S端子出力ユニットと、二方向高速転送インターフェースと、有線テレビ入力端と、有線テレビ出力端と、メモリカード・スロットとを含んで構成される。
【００１３】
請求項３に記載するマルチメディア記録・再生電子装置は、請求項１における赤外線リモート・ユニットが、該マルチメディア記録・再生電子装置をリモートコントロールで操作するユニットである。
【００１４】
請求項４に記載する携帯式マルチメディア記録・再生電子装置は、請求項１における携帯式マルチメディア記録・再生電子装置に、さらに中央演算処理装置と、フラッシュ・メモリと、同期動態RAMと、機能制御を提供するファームウェアを含んで構成される。
【００１５】
請求項５に記載する記携帯式マルチメディア記録・再生電子装置は、請求項１における記携帯式マルチメディア記録・再生電子装置に、さらに音声を記録するための内蔵式マイクを含んで構成される。
【００１６】
請求項６に記載する携帯式マルチメディア記録・再生電子装置は、請求項１における携帯式マルチメディア記録・再生電子装置に、さらに音声を再生するための内蔵式スピーカーを含んで構成される。
【００１７】
請求項７に記載する携帯式マルチメディア記録・再生電子装置は、請求項１における記携帯式マルチメディア記録・再生電子装置に、さらにＰＡＬ方式か、国家テレビシステム委員会(NTSCか、もしくはSECAMの三種類のビデオ出力標準規格の中から一つを選択するスイッチを含んで構成される。
【００１８】
請求項８に記載する携帯式マルチメディア記録・再生電子装置は、請求項１における携帯式マルチメディア記録・再生電子装置に、さらに映画データ、音声データ、映像データの記録時間、及び充電式電池の充電時間の設定を提供するリアタイム時間計算プログラムを含んで構成される。
【００１９】
請求項９に記載する携帯式マルチメディア記録・再生電子装置は、請求項１における携帯式マルチメディア記録・再生電子装置に、さらに再生、記録、表示設定、オプション、パラメーター、及び機能を制御する画面表示メニュー・システム(OSD)/図面表示インターフェース(GUI)を含んで構成される。
【００２０】
請求項1０に記載する携帯式マルチメディア記録・再生電子装置は、請求項１におけるキーパッドが、装置の起動、電源切断、モード選択、停止、再生、一時停止、キーロック、前早送り、後早送り、早戻し、戻し、メニュー表示、音量増加、メニュー閉、音量減少、前のチャンネル、次のチャンネル、ズームインとズームアウトなどを含むグループからなる機能を提供する。
【００２１】
請求項２1に記載する携帯式マルチメディア記録・再生電子装置は、請求項１におけるインジケータが、またパワーインジケータと、高速伝送インターフェースと、エンコード・インジケータと、デコードインジケータと、電池容量モニターを含む。
【００２２】
請求項1２に記載する携帯式マルチメディア記録・再生電子装置は、請求項１における記憶装置のハードディスクインタフェースが、ATアタッチメント(ATA)か、統合電子ドライブ・インターフェース(IDE)か、もしくはシリアルATアタッチメント(SATA)から選択されるインターフェースである。
【００２３】
請求項1３に記載する携帯式マルチメディア記録・再生電子装置は、請求項１における内蔵式ディスプレーが、LCDパネルを含む。
【００２４】
請求項1４に記載する携帯式マルチメディア記録・再生電子装置は、請求項２における二方向高速転送インターフェースが、ユニバーサル・シリアル・バス(USB)インターフェースか、もしくはIEEE
1394インターフェースから選択される。
【００２５】
請求項１５に記載する携帯式マルチメディア記録・再生電子装置は、請求項１における携帯式マルチメディア記録・再生電子装置に、さらに映画、音声、映像のデータをエンコード、もしくはデコードするためのエンデコード・ユニットとデコード・ユニットを含んで構成される。
【００２６】
請求項1６に記載する携帯式マルチメディア記録・再生電子装置は、請求項１における携帯式マルチメディア記録・再生電子装置が、対応するマルチメディア・ファイル形式がMPEG-2か、MPEG-4か、AVIか、DivXか、ASFか、WMVか、WMAか、AACか、MP3か、G.726か、JPEGか、JPEG2000か、M-JPEGか、GIFか、もしくはBMPを含んでなるグループから選択される。
【００２７】
請求項１７に記載する携帯式マルチメディア記録・再生装置は、請求項１における携帯式マルチメディア記録・再生電子装置が、さらに外部接続のビデオ音声ソースに接続するAV入力ユニットと音声入力ユニットとを介してビデオ音声ファイルを記録する。
【００２８】
請求項１８に記載する携帯式マルチメディア電子装置は、請求項１おける携帯式マルチメディア電子装置に、静態的なデジタル映像と映画を捕捉するためのデジタル映像センサ装置を含んで構成される。
【００２９】
請求項１９に記載する携帯式マルチメディア記録・再生電子装置は、請求項１における携帯式マルチメディア記録・再生電子装置に、さらにビデオ記録ユニットを介して、テレビ番組を記録するテレビ・チューナーを含んで構成される。
【００３０】
請求項２０に記載する携帯式マルチメディア記録・再生電子装置は、中央演算処理装置と、フラッシュ・メモリと、同期ダイナミック・ランダム・アクセルメモリと、機能の制御を提供するファームウェア一と、
テレビ信号を受信するテレビ・チューナーと、外部接続装置である映像音声ソース、及び該テレビ・チューナーから映画データを捕捉して記録する映画記録ユニットと、音声データを捕捉して記録する音声記録ユニットと、映像データを捕捉して記録する映像記録ユニットと、デジタル映像、及び映像データを捕捉する映像センサ装置と、該映画データ、及び該映像のデータを読み取って再生するビデオ再生ユニットと、該音声データ、及び該映像のデータを読み取って再生する音声再生ユニットと、該映画データ、及び該映像データを表示する内蔵式ディスプレーと、マイク入力ユニットと、音声左入力ユニットと、音声右入力ユニットと、AV入力ユニットと、S端子入力ユニットと、電力入力ユニットと、ヘッドフォン出力ユニットと、音声左出力ユニットと、音声右出力ユニットと、AV出力ユニットと、S端子出力ユニットと、有線テレビ入力端と、有線テレビ出力端と、二方向高速伝送インターフェースとメモリカード・スロットを含む複数の出力・入力インターフェースと、該映画データと、該音声データと、該映像のデータと、該映像センサ装置と、及び該複数の入力インターフェースから捕捉したデータを記憶し、かつATアタッチメント(ATA)か、統合電子ドライブ・インターフェース(IDE)か、もしくはシリアルATアタッチメント(SATA)から選ばれる形式を具えるハードディスクと、上記の各ユニットの必要とする電力を提供する充電式電池と、上記の各装置の使用状態を表示するパワーインジケータと、高速伝送インターフェースと、エンコード・インジケータと、デコードインジケータと、及び電池容量モニターを含む少なくとも一以上のインジケータと、該映画記録ユニットと、該音声記録ユニットと、該映画再生ユニットと、該音声再生ユニットと、及び該内蔵式ディスプレーの動作を制御し、かつ装置起動、電源切断、モード選択、停止、再生、一時停止、キーロック、前早送り、後早送り、早速戻し、戻し、前のチャンネル、次のチャンネル、メニュー開、音量増加、メニュー閉、音量減少、ズームインとズームアウトなどを含むグループからなる機能を有するキーパッドと、を含んでなる。
【００３１】
請求項２１に記載する携帯式マルチメディア記録・再生電子装置は、請求項２０における携帯式マルチメディア記録・再生電子装置に、さらに赤外線リモートコントロール・ユニットを含んで構成される。
【００３２】
請求項２２に記載する携帯式マルチメディア記録・再生電子装置は請求項２０における携帯式マルチメディア記録・再生電子装置に、さらに音声を記録する内蔵式マイクを含んで構成される。
【００３３】
請求項２３に記載する携帯式マルチメディア記録・再生電子装置は、請求項２０における携帯式マルチメディア記録・再生電子装置に、さらに音声と音声を再生する内蔵式スピーカーを含むんで構成される。
【００３４】
請求項２４に記載する携帯式マルチメディア記録・再生電子装置は、請求項２０における携帯式マルチメディア記録・再生電子装置に、さらにＰＡＬ方式か、国家テレビシステム委員会か、もしくはSECAMの三種類のビデオ出力標準規格から選択されるスイッチ(switch)を含んで構成される。
【００３５】
請求項２５に記載する携帯式マルチメディア記録・再生電子装置は、請求項２０における携帯式マルチメディア記録・再生電子装置に、さらに映像データの記録、電池充電、もしくはデータのバックアップの時間を予め設定するリアルタイム時間計算プログラムを含んで構成される。
【００３６】
請求項２６に記載する携帯式マルチメディア記録・再生電子装置は、請求項２０における携帯式マルチメディア記録・再生電子装置に、さらに、再生、記録、表示設定、オプション、パラメーター、及び機能の制御を提供する画面表示メニュー・システム(OSD)/図面表示インターフェース(GUI)を含んで構成される。
【００３７】
請求項２７に記載する携帯式マルチメディア記録・再生電子装置は、請求項２０における内蔵式ディスプレーがLCD表示パネルである。
【００３８】
請求項２８に記載する携帯式マルチメディア記録・再生電子装置は、請求項２０における二方向高速伝送インターフェースが、ユニバーサル・シリアル・バス(USB)インターフェースか、もしくはIEEE 1394インターフェースを含むグループから選択される。
【００３９】
請求項２９に記載する携帯式マルチメディア記録・再生電子装置は、請求項２０における携帯式マルチメディア記録・再生電子装置に、さらに該映画データと、該音声データと、該映像のデータをエンコード、もしくはデコードするためのエンコードユニットとデコード・ユニットとを含んで構成される。
【００４０】
請求項３０に記載する携帯式マルチメディア記録・再生電子装置は、請求項２０における携帯式マルチメディア記録・再生電子装置の対応するマルチメディア・ファイル形式が、MPEG-2か、MPEG-4か、AVIか、DivXか、ASFか、WMVか、WMAか、AACか、MP3か、G.726か、JPEGか、JPEG2000か、M-JPEGか、GIFか、もしくはBMPを分でなるグループから選択される。
【００４１】
請求項３１に記載する携帯式マルチメディア記録・再生電子装は、請求項２０における映画データが、外部接続映像ソースと、AV入力ユニットか、音声入力ユニットか、もしくはテレビ・チューナーとに接続して入力する。
【発明の効果】
【００４２】
本発明のマルチメディア記録・再生装置は、マルチメディアデータの保存、再生を随時行うことができ、かつモバイルタイプの便利さが得られるという利点がある。詳しくは、標準映像信号を出力するテレビに接続でき、音声、映像を提供する任意のソースから取得したデータを保存できるのみならず、音楽に係る音声データを任意のソースから随時保存し、再生でき、さらにはデジタルカメラ、もしくはコンピュータとの間において簡易な操作で画像データの伝送を行うことができ、画像のディジタルデータを記録、再生することができるなど、マルチメディア・ファイルの多様性に対応し、随時これらを簡易な操作で記録、再生できるという利点がある。
【発明を実施するための最良の形態】
【００４３】
本発明は、映画記録ユニットと、音声記録ユニットと、映像記録ユニットと、記憶装置と、映画再生ユニットと、音声再生ユニット、内蔵式ディスプレーと、該映画記録ユニットと該音声記録ユニットと該映画再生ユニットと該音声再生ユニットと該内蔵式ディスプレーの動作を制御するキーパッドと、上記各ユニットに電力を提供する充電式電池と、上記の各ユニットの使用状態を表示する少なくとも一以上のインジケータとを含んでなる携帯式マルチメディア記録・再生電子装置の構造によって、上述の効果かを実現した。
係る構成の携帯式マルチメディア記録・再生電子装置について、その構造と特徴を詳述するために具体的な実施例を挙げ、以下に説明する。
【実施例１】
【００４４】
図１は本発明に係る装置のブロック図である。図面によれば、この発明の携帯式マルチメディア記録・再生マルチメディア記録・再生装置100は、例えばTI
TMS320DSC25 CPUのような中央演算処理装置（CPU）115と、フラッシュ・メモリ（flash memory）及び同期動態RAM(Synchronous
Dynamic RAM，SDRAM)を含むメモリ120とを含んでなる。該メモリ120は、容量を調整することができ、例えば、フラッシュ・メモリを2Mbとした場合、同期動態RAMは32
Mbか、もしくは64Mbとする。また、該中央演算処理装置115と、メモリ120は、主に電子マルチメディア記録・再生装置100を制御するものである。
【００４５】
電子マルチメディア記録・再生装置100は、電子マルチメディア記録・再生装置100を制御するためのキーパッド（keypad）105と、異なる状態や状況を表示するインジケータ130と、データを記憶する記憶装置(Storage)125と、重複して充電し、電力をすることができる電池15と、0は充電可能で、電力を供給する。音声入力信号を受信する内蔵式マイク110と、聞き取り可能な音量を提供する内蔵式スピーカー13と、画像、映像を表示する内蔵式ディスプレー140と、映像、画像を補足するデジタル映像センサ装置145と、テレビ信号を受信して、番組の再生、録画に供するテレビ・チューナー(TV
tuner)148とを含んでなる。但し、コストダウンや利用機能を考慮する場合、コンポーネントの組み合わせを調整することができる。例えば、内蔵式マイク110、もしくは内蔵式スピーカー135は電子マルチメディア記録・再生装置100内に設けなくてもよい。
【００４６】
前記電子マルチメディア記録・再生装置100は、さらに映像信号入力インターフェースを具える。これは、例えば、標準の3-in-1 AV入力、もしくはS端子入力であって、これらの入力インターフェースを介してテレビ(TV)、デジタル・ビデオ・ディスク（DVD）、ビデオ・コンパクトディスク（VCD）、ビデオ・カセット・レコーダー（VCR）、デジタルカメラ、もしくはコンピュータ等、各種のソースから映像データを得て、記録、再生することができる。かかる装置によって、利用者はどこでもあらゆるソースから映像データを記録、再生することができる。また、音声を入力することによって、コンピュータやステレオなど任意の装置から音楽を記録することができる。
【００４７】
表示装置を外部接続して、内蔵式ディスプレー140の代わりとしたい場合、該電子マルチメディア記録・再生装置100は標準規格のテレビに接続して映像を提供することができる。例えば本装置はＰＡＬ方式（Phase
Alternating Line）、国家テレビジョンシステム委員会(以下NTSCと称する)、もしくはＳＥＣＡＭ（SEquential Couleur A
Memoire）等、三種類の信号出力標準のテレビに接続できる。さらに音声のみを再生したい場合は、ステレオなどに接続することもできる。
【００４８】
該電子マルチメディア記録・再生装置100は、例えばRCA・3-in-1 AV出力、もしくはS端子(S-Vedio)出力など映像信号出力インターフェースをさらに具える。これらインターフェースは表示装置の形式にしたがって、例えば、PAL、NTSCやSECAMなどの適宜なインターフェースを選択することができる。
【００４９】
現在、全世界で採用されている映像信号出力標準規格は３つに分けられている。ＰＡＬ方式は一種のアナログのテレビ標準で、欧州などで普及している。ＮＴＳＣは主にアメリカと日本で採用されている。ＳＥＣＡＭは東欧の一部の地域で採用されている。これらの映像信号標準は、映像の走査頻度と色彩に対する定義が違うが、本発明においては適宜な表示装置の形式を選択してマルチメディアデータを再生することができ、表示設備の形式を考慮する必要がない。かかる特徴を具えることによって、この発明による装置は、世界各国の任意の地域で使用することができる。例えば、商用でアメリカ、欧州、アジアなどへ行く際、本発明による装置を利用して商品のデモンストレーションを行うことができる。即ち、コストダウンを達成することができる効果を具えるとともに、好ましい互換性を具えるものということができる。
【００５０】
本発明に係るマルチメディア記録・再生装置100はさらにテレビ・チューナー148を具えている。このチューナーは同軸ケーブ入力のための入力F-コネクタ(F-connector)と、同軸ケーブルの出力やバイパスのための出力F-コネクタを持っている。このテレビ・チューナー148は同時にNTSC、PLA、SECAMの三種のビデオ出力標準に対応するチューナーであって、かかる多様な出入力モードを具えることにより、同軸ケーブル入力、もしくはテレビ無線信号の受信か、入力方法を選ぶことができる。また、テレビ無線信号入力を選んだ場合NTSC、PLA、SECAM三種のビデオ出力標準に対応できる。
【００５１】
本発明の装置を使用する場合上、利用者は有線テレビのケーブルをF-コネクタの入力端に容易に接続でき、かつ適宜な入力モードを選んで、キーパッド105、もしくは赤外線リモコン装置で好きなチャンネルを選び、テレビ番組の内容を内蔵式ディスプレー140、もしくは外部接続のディスプレーに表示することができる。
【００５２】
映像入力インターフェースを利用する場合、テレビのビデオ映像はF-コネクタの入力端から入力して記録される。例えば、テレビ・チューナー148にて好きなテレビ番組を選んだ後、テレビ番組の内容が記憶装置125に記録される。また、リアルタイム時間計算プログラムに基づいて、記録する時間とチャンネルを予め設定することができる。このため利用者が現場で操作しなくても記録できる。
【００５３】
また、この電子マルチメディア記録・再生装置100に含まれた内蔵式ディスプレー140は3.5インチディスプレー・パネルであって、外部接続のディスプレーやテレビがない状況においても、場所を選ばず、随時映像を再生することができる。このディスプレー140の解像度は例えば480*234である。ディスプレー140はさらに3.5インチや6.5インチの冷陰極蛍光線管(Cold
Cathode Fluorescent Lamp, CCFL) LCDであってもよく、又は、3.5インチの発光二極管LCDであってもよい。
【００５４】
本発明による携帯式マルチメディア記録・再生装置100に含まれた記憶装置125は、利用者が好きな映画や音楽を該電子マルチメディア記録・再生装置100に記憶できるという機能を提供する。より具体的に言えば、この記憶装置125は、例えば、2.5インチATA/IDEでFAT32のファイル形式のハードディスクを具え、コンピュータのオペレーションシステムとの互換性達成する。ハードディスクは、1.8インチIDEハードディスクであってもよい。但し、該ハードディスクはサイズが小さくが、値段が高い。もしくは、値段がより低い3.5インチIDEハードディスクを選択してもよい。また、メモリカードを記憶装置としてもいい。メモリカード・スロットの設置によって、データの持ち運びに便利なるメモリカードに記憶することができる。ハードディスクのより進んだ規格に関しては、例えば、ATアタッチメント(ATA)、統合電子ドライブ・インターフェース(IDE)とシリアルATアタッチメント(SATA)などが含まれる。
【００５５】
本発明に係るハードディスクの起動プログラムは移動できる。よって、電子マルチメディア記録・再生装置100から取り外し、互換性を有するコンピュータなどの装置に設置することができる。かかる機能によって大量のデータを移動させたり、複写したりする場合、短時間で操作を行うことができ便利である。
【００５６】
映像データの伝送インターフェースは、該電子マルチメディア記録・再生装置100と、コンピュータ、もしくはデジタルカメラとの間におけるデータの伝送を容易にさせるために、USB2.0、もしくはIEEE 1394のインターフェースであってもよい。ハードディスクはFAT32のファイル形式なので、このマルチメディア記録・再生装置100と他の装置との互換性をさらに高めることができる。USBインターフェースを介して電子マルチメディア記録・再生装置100をコンピュータと接続することにより、データやビデオ音声ファイルの伝送が、より容易で速くなる。
【００５７】
その他、ハードディスクと高速伝送インターフェースによって、このマルチメディア記録・再生装置100を携帯式の記憶装置とすることができる。映像データにかかるファイルのみならず、その他互換性を有するオペレーションシステムを有するコンピュータであれば、いずれも保存されたデータを電子マルチメディア記録・再生装置100に転送されることができる。かかる方式によって、非常に大量のファイルをCD-ROMに記憶することなく、容易に電子マルチメディア記録・再生装置100に転送でき、コンピュータ・ステムを移動することなくその他の場所に移動させることができる。
【００５８】
具体的に説明すると、コンピュータシステムのハードディスクに含まれたコンテンツは、即ちこの装置にバックアップされることになり、その上で装置を他所に移動させて、離れた場所に存在する他のコンテンツを他のコンピュータに改めて記憶させることができる。したがって、異なる場所で仕事をしていても、ファイルやデータの紛失に心配する必要がなくなる。
【００５９】
この電子マルチメディア記録・再生装置100には、また電力入力ユニットを具えている。例えば、12ボルトの直流電流(DC)が入力できる。交流電流であれば、100-240ボルトの直流電流に変換するアダプタが必要である。そうすると、利用者はこの電子マルチメディア記録・再生装置100を壁掛けのコンセントに差し込むことによってこの装置に電力を供給することができる。交流から直流に変換するアダプタが普通110-240ボルトの交流アダプタなので、この電子マルチメディア記録・再生装置100は交流電流タイプを考えず、世界各地でも使える。
【００６０】
その他、この電子マルチメディア記録・再生装置100には、また電源とする電池を具えている。例えば、1840mA/3680mA 3.6ボルトの充電可能リチウムイオン電池である。この電池150によって、電子マルチメディア記録・再生装置100は電源接続の必要がなる。例えば、利用者は空港でフライト時間を待っている場合、記憶された映画を見ることができる。また電源ない現場で資料を記録することができる。この電池は充電可能なので、いつでも充電できる。また、電池容量インジケータが残りの電池容量や充電済みレベルを表示し、充電する時間の情報を利用者に知らせる。電池容量インジケータと電池は、別々の表示インターフェースを具え、例えば、LED、もしくは内蔵式ディスプレー140のいずれにも表示することができる。
【００６１】
また、本発明には電源自動切断という機能を持っている。利用者が待ち受け時間を調整や選択することにより、電源は自動的に電力節約のモードに入る。例えば、本マルチメディア記録・再生装置100には信号入力のない状態が一定の時間に達すると、この装置は自動的に電源が切れる。そうすると、電池の電力を節約するし、電池のライフも長くするし、充電の頻度も少なくなる。利用者は自由に電源切断装置の待ち受け時間を選択することも、この機能を有効や無効にすることもできる。
【００６２】
キーパッド105は別称がキーで、この電子マルチメディア記録・再生装置100に機能設定やメニュー操作を提供する。キーパッドに操作できる機能は、電源入れ、電源切れ、モード選択、停止、再生、一時停止、キーロック、前早送り、後早送り、早速戻し、戻し、メニュー開、前のチャンネル、次のチャンネル、音量増加、メニュー閉、音量減少、繰返し再生、シャッフル、削除等を含む。
【００６３】
キーパッドに設けられた電源スイッチは利用者にこの電子マルチメディア記録・再生装置100をオン・オフする機能を提供し、停止、再生、一時停止、キーロックなどのキーは利用者に簡単にビデオ音声ファイルの状況を制御する機能を提供し、音量調整のキーは利用者に音声の音量制御の機能を提供し、メニューの開閉は利用者にスクールや移動という方法でメニュー閲覧する機能を提供し、繰返し再生キーは停止キーを押すまでビデオ音声のデータを繰返し再生する機能を提供し、削除キーは保存されたデータを削除する機能を提供する。
【００６４】
また、画面表示(on-screen display, OSD)のメニュー・システムは再生、記録と設定、オプションと機能の制御を提供する。メニューが内蔵式ディスプレーや外部的なディスプレーに表示されるため、利用者はメニューの操作が容易になり、所望するオプションに設定したり、現在の設定状態を見たりすることができる。
【００６５】
例を挙げると、メニュー・システムは、グラフ式ユーザー・インターフェース(graphic user interface, GUI)であってもよい。これを本発明に応用すると、OSD (On Screen
Display)インターフェースよりさらに好ましい表示環境を提供することができる。また、GUIの提供するユーザー・インターフェースは利用者が親しみやすいものであって、異なるファンクションキーを極めて容易に利用して制御することができる。GUIは、ヒューマン・コンピュータ・インタフェース（human
computer interface）を提供する。例えば、押しボタン式のインターフェースによって、利用者は機能ブロックを見て、即実行する機能を選択することができる。よって、装置の扱いの初心者であっても、短時間で操作に慣れることができる。また、世界各地における使用上のニーズに合わせ、メニュー・システムは複数種の言語をサポートすることができる。例えば、アメリカの使用者は英語モードを選び、日本の利用者は日本語モードを選ぶことができる。
【００６６】
電子マルチメディア記録・再生装置100はさらに赤外線リモートコントロール・ユニットを具えている。この赤外線リモートコントロール・ユニットは、遠隔操作でこの装置を制御させ、かつメニュー・システムを操作することができ、キーパッドを使用する必要がない。特に、この装置をブリーフィングの道具とすれば、利用者に対してとても役立つのである。利用者は室内の側や後にこの電子装置を操作して、観衆に資料を発表、紹介することができる。その他、赤外線リモートコントロール・ユニットは802.11gや802.11bに対応するので、本装置をコンピュータシステムと共用、統合させることができる。本マルチメディア記録・再生装置100とコンピュータなどのその他互換性のある装置を経由してデータを伝送や交換することができ、伝送ケーブルを設ける必要がない。よって、使用上に極めて便利である。
【００６７】
リアタイム表示プログラムは、ビデオ音声のデータ、電池充電やデータのバックアップの時間を予め設定、記録することができる。この機能によって、利用者はこの電子マルチメディア記録・再生装置100をビデオ音声ソース装置に接続し、時間を設定し記録を手配することができる。利用者が直接操作するのに不便なときでも、ビデオ音声データを記録することができる。また、利用者は電池充電やバックアップの時間を設定することができる。よって、例えば就寝中でもこれら操作を進行させることができる。
【００６８】
この携帯式マルチメディア記録・再生装置はさらに一つ以上のインジケータを具えている。例えば、一つのLEDや複数のLED。このインジケータはパワーインジケータ(power indicator)と、高速伝送インターフェース・インジケータ(high
speed interface indicator)と、エンコード・インジケータ(encoding indicator)と、及びデコードインジケータ(decoding
indicator)を各一つ含む。
【００６９】
この電力インジケータは電源をオンにするときに表示される。この高速伝送インターフェース・インジケータはこの電子マルチメディア記録・再生装置100がUSB2.0のような高速伝送インターフェース経由で他のデバイスに接続する時に表示される。そうすると、この電子マルチメディア記録・再生装置100が正しく接続されていることを早速に利用者に知らせるし、この電子装置がデータを伝送できない場合、故障排除の時間を減少する。
【００７０】
このエンコード・インジケータとデコードインジケータはエンコードやデコードが働いている時に表示される。エンコードとデコードの形式はMPEG4、MP3、JPEGや他のマルチメディア形式である。この電子マルチメディア記録・再生装置100の音声部分に対して、音声形式でエンコードとデコードをする必要はある。この電子装置はMP3形式で記録された音楽や音声のデータを録音、再生することができる。そのバイト率(Bit
rate)の範囲は32から320Kbpsまで。サンプリングの頻度は32/44.1/48Khz。MP3が圧縮形式で、大量の音声データは再生のため、記憶装置125に記憶されることができる。例えば、ヘッドフォンやイヤホーンの出力ユニットはステレオに接続する必要がなく、イヤホーン経由で利用者に音声データを聞かせる。本発明に係る電子マルチメディア記録・再生装置100は内蔵式スピーカーを提供し、この電子装置がステレオに接続したような音声を提供する。
【００７１】
その他、この電子マルチメディア記録・再生装置100の音声機能において、また音声のエン/デコードという機能を持っている。例えば、G.726と内蔵式マイク。G.726は国際通信標準機構(International
Telecommunication Union, ITU)の下のInternational Telegraph and Telephone
Consultative Committee (CCITT)に制定されたのである。G.726は接近した二つのサンプルの区別を記録することによるデジタル音声サンプリングのエンコード方式-ADPCM
(Adaptive differential pulse code modulation)で、利用者はマイク経由で音声をこの電子装置に記録と再生できる。そのバイト率は16/24/32/40Kbpsになる。
【００７２】
本発明に係る装置は多種のビデオ音声形式のエン/デコードに適用する。その適用種類はMP3、G.726、AAC、WMA、RAMとRMなどの形式を含む。MP3形式は現在一番よく使われている音声形式である。G.726は高品質の形式ではなくても、録音や精密度が厳しく要求されない場合によく使われる。WMAはマイクロソフト社(MicroSoft
Corp.)に制定された標準である。RAMとRM形式のファイルはリアネットワーク社(RealNetworks)に制定されたのである。AACは標準音声形式である。
【００７３】
その他、映像のエン/デコード形式について、例えば、MPEG4はマルチメディアのデータに対する記録と再生を提供し、エン/デコードの画面率(frame
rate)が例えば20-30fpsで選択でき、バイト率(Bit rate)も100kbpsから2.5Mbpsまで制御でき、映画データの記録、再生、一時停止、停止、前早送りと後早送りの機能を制御でき、映画の表示サイズが例えば640*480
や 320*240で、映画ファイル部分の形式が違ってもいい。MPGとAVIとは互換性がある。
【００７４】
本発明に係る装置は映画ファイルに対するエン/デコードという機能を提供する。デコードに適用する種類はMPEG-4、MPEG-1、MPEG-2、WMVとDivX 5.0.などの形式を含む。エンコードの形式はMEG-4、MPEG-1、MPEG-2とWMVなどを含む。それらの形式は独自の特徴を持っている。例えば、MEG-4はネットワーク上伝送のために提供されたとてもいい圧縮形式である。MPEG-1とMPEG-2は相当のデータを記憶でき、娯楽業界によく使われている形式でもあり、VCDやDVDの標準データ形式でもある。WMVはマイクロソフト社に制定された形式である。
【００７５】
これらの形式を除いて、このデバイス100はマイクロソフト・ウィンドウズMediaPlayerのデータ形式に対応するので、AVIファイルやASFファイルなども開ける。
【００７６】
本発明に係る電子マルチメディア記録・再生装置100の利点の一つはリアタイム信号表示である。利用者が映像ソースから映像を記録したい時、この映像は内蔵式モニター140や外部的なディスプレーに表示される。そうすると、利用者は映像ソースの映像信号がこの電子マルチメディア記録・再生装置100に正しく接続されていることを確認できる。リアタイム映像表示という機能がイメージ表示の効果のようで、利用者はデータを記憶する前、適当なところにヒントを追加することができる。
【００７７】
この電子マルチメディア記録・再生装置100はさらにイメージ・ビューアー(image viewer)を具えている。このイメージ・ビューアーは利用者にPEG、JPEG2000、
M-JPEG、GIFやBMPなどの形式でデジタル・フォトを保存したり、閲覧したりする機能を提供する。JPEG形式はより多く使われるし、映像品質がよいし、ファイルのサイズが小さいため、本マルチメディア記録・再生装置100の初期設定の記憶形式とする。この手段によって、利用者は百枚か千枚の写真を含むアルバムを作成し、どこでも家族や友たちにこれらの写真をみせることができる。このイメージ・ビューアーはフル・スクリーンや略図形式(thumbnail
format)で映像を見ることを認める。略図形式経由で映像を容易にスクールして、ほしい写真を選ぶことができる。また、ズームイン(zoom in)、ズームアウト(zoom
out)という機能を提供し、利用者に見たい映像の部分や極めて細かい部分を見せる。このイメージ・ビューアーはサイドショー(sideshow)という機能を含む。利用者が操作しなくても、映像は自動的に映される。
【００７８】
さらに、本マルチメディア記録・再生装置100はCMOSやCCDの映像センサ装置145を具えている。この映像センサ装置145は利用者に静態映像と動態映像を取ることを提供する。カメラ・モードを選んだ場合、この映像センサ装置145はデジタルカメラとして、内蔵式モニター140を通して被写体を取って、写真キーを押して写真を撮ることができる。このキーは独立のキーやキーパッド105に設けられるキーである。
【００７９】
より進んで言えば、カメラ・モードを選んだ場合、この映像センサ装置145はデジタルカメラとして、キーを押して特定の主題の映像を撮って、再度キーを押して録画を停止する。
【００８０】
次に、デジタルカメラとビデオカメラという機能に対して、本マルチメディア記録・再生装置100はデジタル・ズームを設けている。被写体がもっとはっきりするよう、ズームインとズームアウトを提供する。
【００８１】
また、本デ電子マルチメディア記録・再生装置100はメモリカード・スロットを具えている。このメモリカード・スロットはCFやSDカードのようなメモリカードを通してデータを保存や転送する。例えば、デジタルカメラ機能を使用するとき、利用者はメモリカードを取り外して、データを他の装置に保存することができる。このメモリカード・スロットはデータの保存や転送をもっと便利にさせる。
【００８２】
図２は本発明に使われているビデオ音声エン/デコードシステムのブロック図である。図面に示すように、マイク入力ユニット200に接続する外部的なマイクや内蔵式マイク205経由で録音(Voice)することによって、話し方が話しているとき、音声信号が合成語エンコーダ(Voice
Encode)230経由でエンコードをされて、記憶装置(Storage)145に記憶される。利用者が記録された音声データを再生するとき、データは記憶装置245から読み取られ、合成語デコーダ(Voice
Decode)250経由で内蔵式スピーカー270、ヘッドフォン275や音声出力ユニット280から再生される。
【００８３】
音声や音楽はステレオのような外部的な音声装置に接続する音声入力ユニット210や経由で記録されたとき、音声信号が音声エンコーダ(Audio Encode)235経由でエンコードをされ、記憶装置(Storage)245に記憶される。利用者が記録された音声データを再生するとき、データは記憶装置245から読み取られ、音声デコーダ(Audio
Decode)255経由で内蔵式スピーカー270、ヘッドフォン275や音声出力ユニット280から再生される。
【００８４】
ビデオや映画はDVDプレーヤーのような外部接続ビデオ設備に接続するAV入力ユニット215、S端子入力ユニット220や内蔵映像センサ装置223経由で入力される。ビデオの音声部分はビデオ・エンコーダ(Video
Encode)210に接続することによって記録され、映像部分はビデオ・エンコーダ(Video Encode)240に接続することによって記録されて、記憶装置(Storage)245に保存される。利用者が記録されたビデオのータを再生するとき、データは記憶装置245から読み取られ、ビデオ・デコーダ(Video
Decode)260経由でデコードをされて、AV出力ユニット290、S端子出力ユニット295や内蔵式ディスプレー285から出力、再生されるのである。ビデオの音声部分は内蔵式スピーカー270、ヘッドフォン275や音声出力ユニット280から再生される。
【００８５】
さらに言えば、同軸ケーブル入力端232とテレビ・チューナー233経由で番組を見ることができる。また、同軸ケーブル出力端234やバイパス側経由で有線テレビを外部接続のテレビに接続して番組を見ることができる。
【００８６】
JPEG形式のような映像はUSB2.0のような高速伝送インターフェースやメモリカード・スロット228経由で記憶装置245の中に保存される。利用者は映像を見たいとき、映像を記憶装置245から再度読み取って、映像デコンプレッション・デコーダ265にてデコンプレッションをして、AV出力ユニット290、S端子出力ユニット295や内蔵式ディスプレー285に伝送して、映像を表示、再生する。
【００８７】
この高速転送インターフェース225はデータやファイルを直接にこの電子マルチメディア記録・再生装置100に保存させる。例えば、ビデオ入力ユニット215の代わり、この電子マルチメディア記録・再生装置100をコンピュータに接続することによって、ビデオを記録する。ビデオ・ファイルはこの高速転送インターフェース225経由で直接に記憶装置245に伝送されて、前述のような方式で見られる。
【００８８】
その他、時間や場所を問わず、データやファイルはこの高速転送インターフェース225経由で記憶装置245に記録され、読み取られるから、この電子装置を携帯式記憶装置として使うことができる。高速転送インターフェース225のように、データは赤外線ポート229経由で伝送されることができる。また、この機能は本電子マルチメディア記録・再生装置100をワイヤレスで他の交換性ある装置に接続させる。
【００８９】
図３は本発明に係る入出力インターフェースのブロック図である。要約すると、本電子装置はいろいろな違う入力と出力ユニットを提供する。マイク入力ユニット305、音声左入力ユニット310、音声右入力ユニット315、AV入力ユニット320、S端子入力ユニット325、赤外線リモートコントロール・ユニット330、電力入力ユニット335、ヘッドフォン出力ユニット345、音声左出力ユニット350、音声右出力ユニット355、AV出力ユニット360、S端子出力ユニット365、メモリカード・スロット370、有線テレビ入力端375、有線テレビ出力端380と高速転送インターフェース340を含む。
【００９０】
本発明に係るこの電子装置は、個人の要求に応じるよう、前記入出力ユニットを一部や全部取り出して、組み合わせることができる。例えば、この電子装置には、S端子出力・入力ユニットを選択しなく、ビデオ入力ユニットや有線テレビ入力端を介して、ビデオデータを記録する。
【００９１】
従来の技術に比べると、本発明に係る携帯式マルチメディア装置はいろいろな利点を持っている。携帯のビデオやカメラを例として、本装置はいつでもどこでも非常に容易で便利に映画を見ることができる。映画データは記録、保存され、高解析度の内蔵式ディスプレーにて映画を見ることができる。ビデオデータは、テレビ、デジタル・ビデオ・ディスク、ビデオ・コンパクトディスク、ビデオ・カセット・レコーダー、デジタルカメラ等のビデオソースから録画されることができる。記憶装置を利用して、この電子装置は映画が長くても記録と再生することができる。その他、内蔵式デジタル映像センサ装置を利用して、本電子マルチメディア記録・再生装置100はデジタル映像やビデオを記録することができ、機能が分けられたデジタルカメラやデジタル・ビデオ・レコーダーが必要なくなる。内蔵式のテレビ・チューナーを利用して、本装置は有線テレビに接続し、テレビ番組を記録と再生することができる。その中には、携帯ビデオは下記のような特徴を持つ。音楽や合成語などの音声はいつでもどこでも記録、再生されることができる。大量の音声データが保存され、利用者はヘッドフォンやステレオに接続することによって聴くことができる。
【００９２】
デジタルの映像や写真もこの装置に保存されることができ、利用者は家族や友たちと共有することができる。また、本発明もUSB2.0などの高速伝送インターフェースを提供する。映像がデジタルカメラ、コンピュータから容易に伝送されて、利用者はカメラにメモリカードを搭載しなくても、大量のデジタル・フォトを便利に記憶することができる。
【００９３】
その他、記憶されたマルチメディアのデータは他のディスプレーに接続することによって見られる。この電子装置は標準音声と映像ケーブルで違うタイプのテレビに接続することができる。そうすると、利用者は友たちの家など違う場所でマルチメディアのデータを便利に記録したり再生することができる。
【００９４】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００９５】
【図１】この発明による装置の構造を示したブロック図である。
【図２】この発明の装置における映像エンコードシステムの構造を示したブロック図である。
【図３】この発明の装置における入力、出力インターフェースの構造を示したブロック図である。
【符号の説明】
【００９６】
１００        マルチメディア記録・再生装置
１０５        キーパッド
１１０        内蔵式マイク
１１５        中央演算処理装置
１２０        メモリ
１２５        記憶装置
１３０        インジケータ
１３５        内蔵式スピーカー
１４０        内蔵式ディスプレー
１４５        センサ装置
１４８        テレビ・チューナー
１５０        電池
２００        マイク入力ユニット
２０５        内蔵式マイク
２１０        音声入力ユニット
２１５        ＡＶ入力ユニット
２２０        S端子入力ユニット
２２３        内蔵映像センサ装置
２２５        高速転送インターフェース
２２８        メモリカード・スロット
２２９        赤外線ポート
２３０        合成語縁コーダ
２３2         同軸ケーブル入力端
２３３        テレビ・チューナー
２３４        同軸ケーブル出力端
２３５        音声エンコーダ
２４０        ビデオ・エンコーダ
２４５        記憶装置
２５０        合成語デコーダ
２５５        音声デコーダ
２６０        ビデオ・デコーダ
２６５        映像デコンプレッション・デコーダ
２７０        内蔵式スピーカー
２７５        ヘッドフォン
２８０        音声出力ユニット
２８５        内蔵式ディスプレー
２９０        ＡＶ出力ユニット
２９５        Ｓ端子出力ユニット
３０５        マイク入力ユニット
３１０        音声左入力ユニット
３１５        音声右入力ユニット
３２０        ＡＶ入力ユニット
３２5         S端子入力ユニット
３３０        赤外線リモートコントロール・ユニット
３３５        電力入力ユニット
３４０        高速転送インターフェース
３４5         ヘッドフォン出力ユニット
３５０        音声左出力ユニット
３５5         音声右出力ユニット
３６０        ＡＶ出力ユニット
３６５        Ｓ端子出力ユニット
３７０        メモリカード・スロット
３７５        有線テレビ入力端
３８０        有線テレビ出力端
【図１】
2005323135.tif 000003
【図２】
2005323135.tif 000004
【図３】
2005323135.tif 000005